(57)【要約】【課題】携帯電話機の小型ディスプレイに注意を払うことなく容易に選択を行うことができるインターフェイスを提供する。【解決手段】携帯機器と、当該携帯機器のＮＦＣリーダを介して携帯機器が読み取ることのできるデータを有する複数のＮＦＣタグを備えたスクリーンとの間でインタラクションを行う方法は、ユーザの携帯電話機によってＮＦＣタグの１つを選択するステップと、あるアプリケーションサービスを実行しているサーバへ選択肢を送信するステップと、選択肢に応じてスクリーン上の表示を制御し、ある入力対象をユーザが選択できるようにするグラフィカル・ユーザ・インターフェイスをスクリーン上に表示するステップと、携帯機器のジェスチャ検出モジュールが検出する携帯機器の動きに応じて生成されるデータをジェスチャ検出モジュールから受信するステップとを含む。【選択図】  図２
2011129127.tif 000002
【特許請求の範囲】
【請求項１】
携帯機器と、当該携帯機器のＮＦＣリーダを介して前記携帯機器が読み取るデータを有する複数のＮＦＣタグを備えたスクリーンとの間でインタラクションを行う方法であって、
あるアプリケーションサービスの一部分である画像が前記スクリーン上に表示されることにより、ユーザが前記アプリケーションサービスを使用するときに自己の携帯電話機を用いて選択することのできるマーカーによって、前記スクリーンの１つ以上のタグがそれぞれの入力対象または選択肢の表示に対応するものとなり、
前記スクリーン上に表示されている前記画像は、前記アプリケーションサービスを実行しているサーバによって制御されるものであり、
前記サーバはネットワークリンクを介して前記ユーザの携帯電話機と接続されるものであって、
前記ユーザの携帯電話機によってＮＦＣタグの１つを選択するステップと、
前記アプリケーションサービスを実行しているサーバへ選択肢を送信するステップと、
前記選択肢に応じて前記スクリーン上の表示を制御し、ある入力対象をユーザが選択できるようにするグラフィカル・ユーザ・インターフェイスを前記スクリーン上に表示するステップと、
前記携帯機器のジェスチャ検出モジュールによって検出される当該携帯機器の動きに応じて生成され、前記ユーザに入力対象の選択を行わせるために前記グラフィカル・ユーザ・インターフェイスへの入力として処理されるデータを、前記ジェスチャ検出モジュールから受信するステップと
を含み、
前記ＮＦＣタグの粒状度が十分ではない場合には、前記グラフィカル・ユーザ・インターフェイスは、１つのＮＦＣタグが前記スクリーン上にあって選択可能な２つ以上の入力対象に対応するように前記スクリーン上に表示されるものであり、
前記携帯機器を動かすことにより入力対象をユーザが選択できるようにする前記グラフィカル・ユーザ・インターフェイスは、２つ以上の選択可能な選択肢がそのタグのエリアにあるようなタグを選択することにより表示されるものであって、このとき、当該タグは、それを選択しても選択肢の選択を一意に特定できないものであり、
前記グラフィカル・ユーザ・インターフェイスは、
前記ユーザによって選択されうる複数の選択肢を示すグラフィカル・オプション・インジケータと、
前記複数の選択肢のうち、現在選択されている選択肢を示すグラフィカル選択インジケータと
を含んでおり、
前記ユーザが自己の携帯機器を動かすと、前記ジェスチャ検出モジュールは、その動きを検出し、得られたデータを処理することにより、前記ユーザによる携帯機器の動きが、前記グラフィカル・オプション・インジケータによって、選択されたものとして示されている選択肢とは異なるものに前記グラフィカル選択インジケータを移動させ、
前記携帯機器によって行われる前記ジェスチャは、前記携帯機器を回転させることを含むものである、方法。
【請求項２】
前記グラフィカル・オプション・インジケータは、異なる選択肢に対応するセクションに分割された円弧もしくは円であるか、または、異なる選択肢に対応する異なる色を有する円弧もしくは円であり、
前記グラフィカル・オプション・インジケータは、前記携帯機器の動きに応じて前記円弧または前記円が移動するときに、現在選択されている選択肢を示すグラフィカル選択インジケータが、選択された異なる選択肢を指し示すような円または円弧であり、
前記グラフィカル選択インジケータは、
前記グラフィカル・オプション・インジケータの選択肢のうち、前記現在選択されている選択肢を指し示す矢印と、
前記グラフィカル・オプション・インジケータによって示されている前記複数の選択肢のうち、現在選択されている選択肢を指し示すかまたはマーキングするボール、影付きセクション、十字形、任意のマークのいずれかと
のうちの少なくとも１つを含むものである、請求項１に記載の方法。
【請求項３】
前記現在選択されている選択肢の最終的な選択が、
前記携帯機器を傾斜もしくは回転させるか、または検出可能なジェスチャを行うことと、
前記携帯機器を素早く振ることと、
前記携帯機器上のキーを押下することと
のうちのいずれかによって行われる、請求項１または２に記載の方法。
【請求項４】
前記円弧または円が回転または移動すると、新しい選択肢が前記円弧上または円上に現れ、それにより、前記移動している円弧または円のある位置に対応する選択肢が変化して新しい選択肢を表すものとなる、請求項２または３に記載の方法。
【請求項５】
前記グラフィカル・オプション・インジケータが円弧または円であり、
複数の円弧または複数の円が、表示可能な選択肢の数を増加させるため設けられ、前記ユーザが、表示されているもののうち、現在アクティブな円弧を選択することができる、請求項１から４のいずれか一項に記載の方法。
【請求項６】
携帯機器と、当該携帯機器のＮＦＣリーダを介して前記携帯機器が読み取るデータを有する複数のＮＦＣタグを備えたスクリーンとの間でインタラクションを行う装置であって、
あるアプリケーションサービスの一部分である画像が前記スクリーン上に表示されることにより、ユーザが前記アプリケーションサービスを使用するときに自己の携帯機器を用いて選択することのできるマーカーによって、前記スクリーンの１つ以上のタグがそれぞれの入力対象または選択肢の表示に対応するものとなり、
前記スクリーン上に表示されている前記画像は、前記アプリケーションサービスを実行しているサーバによって制御されるものであり、
前記サーバはネットワークリンクを介して前記ユーザの携帯機器と接続されるものであって、
前記ユーザの携帯電話機によりＮＦＣタグの１つを選択するモジュールと、
前記アプリケーションサービスを実行しているサーバへ選択肢を送信するモジュールと、
前記選択肢に応じて前記スクリーン上の表示を制御し、ある入力対象をユーザが選択できるようにするグラフィカル・ユーザ・インターフェイスを前記スクリーン上に表示するモジュールと、
前記携帯機器のジェスチャ検出モジュールによって検出される当該携帯機器の動きに応じて生成され、前記ユーザに入力対象の選択を行わせるために前記グラフィカル・ユーザ・インターフェイスへの入力として処理されるデータを、前記ジェスチャ検出モジュールから受信するモジュールと
を備えており、
前記ＮＦＣタグの粒状度が十分ではない場合には、前記グラフィカル・ユーザ・インターフェイスは、１つのＮＦＣタグが前記スクリーン上にあって選択可能な２つ以上の入力対象に対応するように前記スクリーン上に表示されるものであり、
前記携帯機器を動かすことにより入力対象をユーザが選択できるようにする前記グラフィカル・ユーザ・インターフェイスは、２つ以上の選択可能な選択肢がそのタグのエリアにあるようなタグを選択することにより表示されるものであって、このとき、当該タグは、それを選択しても選択肢の選択を一意に特定できないものであり、
前記グラフィカル・ユーザ・インターフェイスは、
前記ユーザによって選択されうる複数の選択肢を示すグラフィカル・オプション・インジケータと、
前記複数の選択肢のうち、現在選択されている選択肢を示すグラフィカル選択インジケータと
を含んでおり、
前記ユーザが自己の携帯機器を動かすと、前記ジェスチャ検出モジュールは、その動きを検出し、得られたデータを処理することにより、前記ユーザによる携帯機器の動きが、前記グラフィカル・オプション・インジケータによって、選択されたものとして示されている選択肢とは異なるものに前記グラフィカル選択インジケータを移動させ、
前記携帯機器によって行われる前記ジェスチャは、前記携帯機器を回転させることを含むものである、装置。
【請求項７】
前記グラフィカル・オプション・インジケータは、異なる選択肢に対応するセクションに分割された円弧もしくは円であるか、または、異なる選択肢に対応する異なる色を有する円弧もしくは円であり、
前記グラフィカル・オプション・インジケータは、前記携帯機器の動きに応じて前記円弧または前記円が移動するときに、現在選択されている選択肢を示すグラフィカル選択インジケータが、選択された異なる選択肢を指し示すような円または円弧であり、
前記グラフィカル選択インジケータは、
前記グラフィカル・オプション・インジケータの選択肢のうち、前記現在選択されている選択肢を指し示す矢印と、
前記グラフィカル・オプション・インジケータによって示されている前記複数の選択肢のうち、現在選択されている選択肢を指し示すかまたはマーキングするボール、影付きセクション、十字形、任意のマークのいずれかと
のうちの少なくとも１つを含むものである、請求項６に記載の装置。
【請求項８】
請求項１から５のいずれか一項に記載の方法をコンピュータに実行させるコンピュータ・プログラム・コードを含むコンピュータ・プログラム。
【発明の詳細な説明】
【技術分野】
【０００１】
本発明は、携帯機器とスクリーンとの間でインタラクションをする方法および装置に関する。
【０００２】
具体的には、本発明は、静的な広告（poster）及び動的な広告と組み合わせて用いられる携帯通信端末の間のＮＦＣタグに基づいたインタラクションを可能にするユーザインターフェイスを提供することに関する。
【背景技術】
【０００３】
「MULTITAG」は、ランカスター大学とＮＴＴドコモ社との共同開発プロジェクトである。これは、ＮＦＣ（near-field communication：近距離無線通信）のリーダを有する携帯電話機とインタラクションをすることのできるＮＦＣタグのマトリックスを備えたスクリーンを用いるものである。このようなスクリーンを、ＮＦＣリーダを有する携帯電話機とインタラクションをすることのできるＮＦＣタグ１１０のｎ×ｍのグリッドを持ったスクリーン１００を描いた図１Ａに概略的に示している。
【０００４】
アプリケーションの実行中に、画像がスクリーン上に表示される。そして、選択されるべき選択肢（オプション）が表示されている場所に位置している対応するタグに携帯電話機を近づけることにより、入力対象の選択に対応した前記画像の一部分をＮＦＣインタラクションにより選択することができる。例えば、都市の地図が表示されていて、地図上のレストランの所在地に何らかの表示をすることができる。そして、ある場所のレストランに関するより多くの情報に関心をもっているユーザは、自己の携帯電話機を、レストランの場所を示す表示（indicator）に近づけることができる。携帯電話機と表示の裏側に位置しているＮＦＣタグとの間のインタラクションを通じて、アプリケーションが、選択されたレストランに関する追加の情報が表示されるようにスクリーン上の表示を変更させるためのトリガを受けることができる。
【０００５】
換言すると、Multitagシステムは、携帯電話機とＮＦＣのグリッドによりタグが付けられたスクリーンとの間のＮＦＣインタラクションを通じて選択を可能とする。その結果、スクリーンは、インタラクションに応じてスクリーンに表示される画像が変化しうるという意味で動的であり、結果として、アプリケーションの状況に伴ってタグの情報の意味も変化しうる。タグは、あるレストランを選択するという意味を持つことができるが、次のステップでは（表示が変化した後では）、そのタグは、前のステップで選択されたレストランについての「開店時間」または「メニュー」といった他の情報を選択する意味を持つことができる。
【０００６】
したがって、MULTITAGの技術を使用する静的または動的なディスプレイを持つ携帯電話機とのインタラクションは、たいてい、より多くの情報がほしいレストランを地図上で選択するなどの、いくつかの選択肢からの選択を含んでいる。このような選択は、特に、いくつかの選択肢（たとえば、複数のレストラン）が１つのマーカー上に表示され、そのため、MULTITAGマーカーだけを用いて選択をすることができない場合に、問題となりうる。選択肢の粒状度（あるいは選択肢間のとりうる距離の小ささ）（granularity）がＮＦＣグリッドの粒状度（あるいはＮＦＣグリッドの小ささ）よりも高いからである。このシナリオを図１Ｂに示している。図１Ｂの左側に示したスクリーンの左半分には、地図（ここではミュンヘン市の地図）がＮＦＣ要素のグリッド上に表示されており、スクリーンの右半分には、地図が表示されておらず、ＮＦＣ要素のグリッドが示されている。もちろん、実際には地図がスクリーン全体に表示されており、地図を右半分に示していないのは、ＮＦＣのグリッドを示すためである。そして、いくつかのマーカー（例えば、レストランなどの関心のあるポイントを示すマーカー）が物理的に同じＮＦＣタグに表示されることが頻繁に起こりうる。図１Ｂの右側にはスクリーンを拡大したものを示しており、ＮＦＣタグの１つのエリアに２つのマーカーが位置していることを示している。この場合、ＮＦＣインタラクションにより電話機を用いて特定の１つのマーカーを選択することができない。
【０００７】
この問題を解決するため、以下の解決策が考えられる。
１．選択肢のリストを電話機に表示し、電話機上のこのリストをスクロールすることにより選択する。
２．メインディスプレイ（main display）を変更して、ある番号を各選択肢に関連付け、電話機の対応するキーをユーザに押下させることにより１つを選ばせる。
３．メインディスプレイまたは電話機のいずれかにおいて一度に１つの選択肢を表示または強調表示し、電話機のキーを使用して複数の選択肢を一巡させる。
４．選択肢のリストを表示するためにディスプレイを変更し、メインディスプレイ上で電話機により１つを選択するためにMULTITAGの技術を使用する。
【０００８】
これらの解決策はすべて、選択をするためにユーザが電話機のキーボードを使用することを必要とする。キーボードを用いたインタラクションは、ユーザが大型スクリーンから携帯電話機の小型スクリーンに自己の注意を向けることを必要とするので、ユーザが（大型）スクリーンとの間で既にインタラクションを行っているアプリケーションにおいて不利である。上記解決策２および３では、ディスプレイの一部分が隠され、さらにユーザが電話機ディスプレイとメインディスプレイとの双方に注意を向けなければならない。
【０００９】
さらに、ＮＦＣによるインタラクションと比較すると、キーボードによるインタラクションは遙かに直観的ではない。
【００１０】
上記解決策４は、メインディスプレイ上の物理的に同じエリアが異なった目的のため使用されるので、ディスプレイの一部分が隠れてしまい、ユーザを混乱させる恐れがある。さらに解決策４は、タグサイズが大型であるために、メインディスプレイの領域の大部分を使用しなければならない。
【発明の概要】
【発明が解決しようとする課題】
【００１１】
したがって、携帯電話機の小型ディスプレイに注意を払うことを要することなく容易に選択を行うことができるインターフェイスをユーザに提供することが望ましい。さらに、電話機のキーボードを使用することによらずに選択を行うアプリケーションとインタラクションをするためのより直観的かつ簡単な方法を提供することが望ましい。
【課題を解決するための手段】
【００１２】
一実施形態によれば、携帯機器と、当該携帯機器のＮＦＣリーダを介して前記携帯機器が読み取ることのできるデータを有する複数のＮＦＣタグを備えたスクリーンとの間でインタラクションを行う方法であって、あるアプリケーションサービスの一部分である画像が前記スクリーン上に表示されることにより、ユーザが前記アプリケーションサービスを使用するときに自己の携帯電話機を用いて選択することのできるマーカーによって、前記スクリーンの１つ以上のタグがそれぞれの入力対象または選択肢（オプション）の表示（indication）に対応するものとなり、前記スクリーン上に表示されている前記画像は、前記アプリケーションサービスを実行しているサーバによって制御されるものであり、前記サーバはネットワークリンクを介して前記ユーザの携帯電話機と接続されるものであって、前記ユーザの携帯電話機によってＮＦＣタグの１つを選択するステップと、前記アプリケーションサービスを実行しているサーバへ選択肢を送信するステップと、前記選択肢に応じて前記スクリーン上の表示を制御し、ある入力対象をユーザが選択できるようにするグラフィカル・ユーザ・インターフェイスを前記スクリーン上に表示するステップと、前記携帯機器のジェスチャ検出モジュールによって検出される当該携帯機器の動きに応じて生成され、前記ユーザによる入力対象の選択を可能とするために前記グラフィカル・ユーザ・インターフェイスへの入力として処理されるデータを、前記ジェスチャ検出モジュールから受信するステップとを含む方法が提供される。
【００１３】
このようにして、ユーザは、異なる２つのスクリーンとインタラクションすること、または、自己の意識を携帯電話機の小型スクリーンへ向けることといった不便を回避した、選択を行うための簡単かつ直観的なインターフェイスの提供を受けることができる。
【００１４】
ジェスチャ検出モジュールは、ユーザインターフェイスへデータを入力するためのユーザによるジェスチャを検出する任意のセンサモジュールとすることができる。センサモジュールは、たとえば加速度を検出する加速度モジュールであり、または、動きを検出するモーションセンサである。センサモジュールは、さらに（または付加的に）、ジャイロスコープまたはコンパスといった方向（orientation）センサを備えていてもよい。センサモジュールが、カメラ画像に基づいて携帯機器の動きまたは向き（orientation）を検出するカメラを備えた別の形態もあり得る。さらに、ジェスチャ検出モジュールは、その上、上述のセンサモジュールのような異なったセンサモジュールの組み合わせを備えていてもよい。検出されたデータに基づいて、ジェスチャ検出モジュールは、携帯機器の向き、
動きまたは加速度といったユーザのジェスチャを検出し、当該ユーザによる入力対象の選択を可能とするために該グラフィカル・ユーザ・インターフェイスへの入力としてこのジェスチャを処理する。
【００１５】
一実施形態によれば、携帯機器を動かすことによりある入力対象をユーザが選択できるようにするグラフィカル・ユーザ・インターフェイスは、そのうちの１つが選択されるさらなる一連の選択肢をトリガするタグの選択に応じて表示される。
【００１６】
このように、ユーザインターフェイスは、簡単かつ直観的なやり方でアプリケーションサービスによって提供される選択肢の選択を可能とする。
【００１７】
一実施形態によれば、携帯機器を動かすことによりある入力対象をユーザが選択できるようにする該グラフィカル・ユーザ・インターフェイスは、そのエリア内で選択されうる２つ以上の選択肢が存在するタグの選択に応じて表示されるため、タグを選択しても選択肢の選択を一意に特定することができない。
【００１８】
選択可能な２つ以上の選択肢が１つのタグ内のエリアに表示されるという問題を解決することができる。
【００１９】
一実施形態によれば、前記グラフィカル・ユーザ・インターフェイスは、前記ユーザによって選択されうる複数の選択肢（オプション）を示すグラフィカル・オプション・インジケータと、前記複数の選択肢のうち、現在選択されている選択肢を示すグラフィカル選択インジケータとを含んでおり、前記ユーザが自己の携帯機器を動かすと、前記ジェスチャ検出モジュールは、その動きを検出し、得られたデータを処理することにより、前記ユーザによる携帯機器の動きが、前記グラフィカル・オプション・インジケータによって示される、選択されている選択肢とは異なるものに前記グラフィカル選択インジケータを移動させる。
【００２０】
これにより、ユーザが後で確認することができる現在選択されている項目をユーザが見ることができる。
【００２１】
一実施形態によれば、該グラフィカル・オプション・インジケータは、選択される異なった選択肢に属する異なる部分の円弧と、該スクリーンの異なる場所に位置している複数のアイコンとのうちの１つ以上を有しており、および／または、該グラフィカル選択インジケータは、該グラフィカル・オプション・インジケータ内の選択肢のうち、現在選択されている選択肢を指し示す矢印と、該グラフィカル・オプション・インジケータによって示されている該複数の選択肢のうち、現在選択されている選択肢を指し示すかまたはマーキングするボール、影付きセクション、十字形、任意のマークのいずれかとのうちの少なくとも１つを含む。
【００２２】
このようにして、いくつかの異なるグラフィカル・オプション・インジケータを用いることができる。
【００２３】
一実施形態によれば、前記方法は、ユーザが該携帯機器を使用して行った以下のジェスチャのうちの１つを通じて、該グラフィカル・オプション・インジケータによって示された複数の選択肢のうち、現在選択されている選択肢を変更することを可能にするステップをさらに含む。ここで、ジェスチャとは、該携帯機器を傾斜させることと、該携帯機器を回転させることとを含む。
【００２４】
このように、（現在の）選択を変更するいくつかの方式を用いることができる。
【００２５】
一実施形態によれば、現在選択されている選択肢の最終的な選択は、携帯機器を傾斜させること、回転させること、検出できるジェスチャを行うことのいずれかと、携帯機器を素早く振ることと、携帯機器上のキーを押下することとのうちのいずれかによって行われる。
【００２６】
現在の選択を確認するためのいくつかの形態がある。
【００２７】
一実施形態によれば、ＮＦＣタグの粒状度が十分ではない（すなわち、タグの大きさが比較的に大き過ぎる）のでＮＦＣタグの１つがスクリーン上で選択可能な２つ以上の入力対象に対応する場合において、グラフィカル・ユーザ・インターフェイスはスクリーンに表示される。その後、グラフィカル・ユーザ・インターフェイスは、ユーザが選択可能な２つ以上の入力対象から選択することが可能になるように表示される。
【００２８】
これによって、ＮＦＣグリッドの粒状度（グリッド（格子）の大きさ）が選択可能な選択肢（オプション）に対応するには不十分であるという問題を解決できる。
【００２９】
一実施形態によれば、該グラフィカル・オプション・インジケータは、異なった選択肢に対応するセクションに分割された円弧または円であるか、または、該グラフィカル・オプション・インジケータは、異なった選択肢に対応する異なった色を有する円弧または円である。
【００３０】
選択可能な選択肢を直観的に可視化するための形態がある。
【００３１】
一実施形態によれば、該グラフィカル・オプション・インジケータは該携帯機器の動きに応じて動く円弧または円であり、現在選択されている選択肢を指し示すグラフィカル選択インジケータが、該円弧または円が動くときに選択された異なる選択肢を指し示す。
【００３２】
これは、選択可能な選択肢を直観的に可視化するためにさらに考えられる形態である。
【００３３】
一実施形態によれば、円弧または円が回転または移動すると、移動中の円弧または円のある位置に対応する選択肢が新しい選択肢を示すために変化し、新しい選択肢が該円弧または円の上に表示される。
【００３４】
このように、無制限の数の選択可能な選択肢を表示することができる。
【００３５】
一実施形態によれば、該グラフィカル・オプション・インジケータは円弧または円であり、表示可能な選択肢の数を増加させるために複数の円弧または円が設けられ、ユーザは表示された選択肢のうち、現在アクティブな円弧を選択することができる。
【００３６】
これは、表示することができる選択可能な選択肢の数を増加させるためのさらなる実施形態である。
【００３７】
一実施形態によれば、携帯機器と、当該携帯機器のＮＦＣリーダを介して前記携帯機器が読み取ることのできるデータを有する複数のＮＦＣタグを備えたスクリーンとの間でインタラクションを行う装置であって、あるアプリケーションサービスの一部分である画像が前記スクリーン上に表示されることにより、前記スクリーンの１つ以上のタグが、ユーザが前記アプリケーションサービスを使用するときに自己の携帯電話機を用いて選択することのできるそれぞれの入力対象または選択の表示（indication）に対応するものとなり、前記スクリーン上に表示されている前記画像は、前記アプリケーションサービスを実行しているサーバによって制御されるものであり、前記サーバはネットワークリンクを介して前記ユーザの携帯電話機と接続されるものであって、前記ユーザの携帯電話機によりＮＦＣタグの１つを選択するモジュールと、前記アプリケーションサービスを実行しているサーバへ選択肢を送信するモジュールと、前記選択肢に応じて前記スクリーン上の表示を制御し、ある入力対象をユーザが選択できるようにするグラフィカル・ユーザ・インターフェイスを前記スクリーン上に表示するモジュールと、前記携帯機器のジェスチャ検出モジュールによって検出される当該携帯機器の動きに応じて生成され、前記ユーザによる入力対象の選択を可能とするために前記グラフィカル・ユーザ・インターフェイスへの入力として処理されるデータを、前記ジェスチャ検出モジュールから受信するモジュールとを備えた装置が提供される。
【００３８】
このように、本発明の一実施形態として装置またはシステムを実施することができる。
【００３９】
一実施形態によれば、携帯機器と、当該携帯機器のＮＦＣリーダを介して前記携帯機器が読み取ることのできるデータを有する複数のＮＦＣタグを備えたスクリーンとの間でインタラクションが行われる際に、アプリケーションを実行するコンピュータであって、あるアプリケーションサービスの一部分である画像が前記スクリーン上に表示されることにより、前記スクリーンの１つ以上のタグが、ユーザが前記アプリケーションサービスを使用するときに自己の携帯電話機を用いて選択することのできるそれぞれの入力対象または選択肢の表示（indication）に対応するものとなり、前記スクリーン上に表示されている前記画像は、前記アプリケーションサービスを実行している前記コンピュータによって制御されるものであり、前記コンピュータはネットワークリンクを介して前記ユーザの携帯電話機と接続されるものであって、前記ユーザの携帯電話機により選択される１つのＮＦＣタグの選択を受信するモジュールと、前記選択に応じて前記スクリーン上の表示を制御し、ある入力対象をユーザが選択できるようにするグラフィカル・ユーザ・インターフェイスを前記スクリーン上に表示するモジュールと、前記携帯機器のジェスチャ検出モジュールによって検出される当該携帯機器の動きに応じて生成され、前記ユーザによる入力対象の選択を可能とするために前記グラフィカル・ユーザ・インターフェイスへの入力として処理されるデータを、前記ジェスチャ検出モジュールから受信するモジュールとを備えたコンピュータが提供される。
【００４０】
このように、本発明の実施形態として、アプリケーションサービスを実行するコンピュータまたはホストを実施することができる。
【００４１】
一実施形態によれば、前記装置は、本発明の他の実施形態として説明されている処理を実行する少なくとも１つのモジュールをさらに備えている。
【００４２】
一実施形態によれば、本発明の実施形態のうちの１つに基づく方法をコンピュータに実行させるコンピュータ・プログラム・コードを含むコンピュータ・プログラムが提供される。
【図面の簡単な説明】
【００４３】
【図１Ａ】本発明の実施形態におけるタグを備えたスクリーンを概略的に示す説明図である。
【図１Ｂ】本発明の実施形態によって解決できる問題を含んだシナリオを概略的に示す説明図である。
【図２】本発明の実施形態に基づくユーザインターフェイスを概略的に示す説明図である。
【図３】本発明の別の実施形態に基づくユーザインターフェイスを概略的に示す説明図である。
【図４】本発明の別の実施形態に基づくユーザインターフェイスを概略的に示す説明図である。
【図５】本発明の別の実施形態に基づくユーザインターフェイスを概略的に示す説明図である。
【図６】本発明の別の実施形態に基づくユーザインターフェイスを概略的に示す説明図である。
【図７】本発明の別の実施形態に基づくユーザインターフェイスを概略的に示す説明図である。
【発明を実施するための形態】
【００４４】
本発明の実施形態について説明する前に、以下に使用するいくつかの用語を説明する。
【００４５】
ＮＦＣ：近距離無線通信（Near Field Communication）のことである。
ジェスチャ検出モジュール：空間内での機器の（３次元の）位置を測定するために（さもなければ、これが取り付けられている機器を用いて行われるジェスチャを検出するために）、使用されるセンサである。一例は加速度計であるが、他も可能である。
メインディスプレイ（main display）：ユーザの携帯機器のディスプレイとは対照的に、多くの情報が表示される（大型であることが多く、一般人がアクセスでき、かつ見ることができる）ディスプレイである。
【００４６】
一実施形態によれば、メインディスプレイと、制御要素として使用される携帯機器とによって構成されているユーザインターフェイスを動作させる方法が提供される。携帯機器は、ユーザがメインディスプレイに表示された一連の選択肢から簡単に選択することを可能にするために、加速度計のような内蔵式または外付けのジェスチャ検出モジュールを使用する。この目的のため、いくつかの選択肢を表示し、携帯機器を回転および傾斜させることにより１つの選択肢を選択できる可能性をユーザに提供するために使用することのできる一連のグラフィックウィジェット（graphical widget）を設けることができる。別々の選択肢の他に、たとえば、温度値の入力のための連続的な目盛を使用することもできる。
【００４７】
図２に、この一般的な考え方の実施形態を示している。特定の方向に電話機を傾斜させることによりユーザに選択肢を選ばせる追加のグラフィックウィジェットが示されている。フィードバックは、アプリケーションが動いているホストへ直接的に提供される。
【００４８】
図２に示した実施例では、３つの選択肢（例えば３軒のレストラン）が存在しており、これらが、それぞれの色が１つの選択肢に対応する３つの異なった色（赤、白、黄）を持つ円弧によって示されている。マーカー（図２では矢印）は現在の選択を示しており、自己の携帯電話機を回転させることにより、ユーザは、ジェスチャ検出モジュール（たとえば加速度計）に回転を検出させ、このようにして生成されたデータがその後処理され、マーカーの動きに変換される。このように、ユーザは、複数の選択肢の中から選択を表すマーカーを動かすように、自己の携帯電話機を回転させることにより選択を行うことができる。その後、選択は、たとえば、ジェスチャ検出モジュール（たとえば加速度計）によって検出することのできる携帯電話機の振動により、最終的に確認されることがある。あるいは、電話機のキーを使用することにより確認を行うこともできる。
【００４９】
提案されたアプローチは、ユーザの注意をメインディスプレイに留めることができることと、メインディスプレイの小さな一部のみを、選択のプロセスが開始する前に動作モードと混同されることのない追加の情報を表示するために使用することと、選択の方法が迅速かつ直観的であることとを可能にする。一実施形態では、選択のウィジェットは、これら選択のウィジェットが特定のケースで使用されるアプリケーションのタイプと無関係なので、標準化及びユーザの習熟が高まる。
【００５０】
以下では、本発明の別の実施形態を説明する。
【００５１】
ある実施形態によれば、ＮＦＣタグリーダと加速度計（または、機器の位置及び位置の変化を検出することができるジェスチャ検出モジュールを実現する類似の機器）とを組み合わせた装置が使用される。この装置は、（Nokia N96, iPhoneなどで見受けられるように）内蔵式とすることができ、あるいは外付けのセンサとすることもできる。
【００５２】
ある実施形態では、一連の選択肢から選択を行うために（たとえば、加速度計のような）ジェスチャ検出モジュールが読み取った値と共に使用することができる一連のウィジェットが提供される。この選択方法は、（たとえば、１つのタグのエリアに２つ以上の選択肢が存在するため、または、１つのタグの選択により、選ばれた１つの選択肢からさらなる一連の選択肢をトリガするため）MULTITAGのマーカーだけを使用して選択を行うことが不可能であるか、または不都合であるときに用いられる。利点は、メインディスプレイと携帯機器のディスプレイとの間で注意及び意識の分散、移動がない点である。
【００５３】
次に、このようなウィジェットを実現するいくつかの実施形態を図面と共に示す。
【００５４】
一実施形態におけるウィジェットは、一般的に、（たとえば、選択対象の様々な数の選択肢または順序のあるデータ、間隔のあるデータもしくは連続的なデータを伴う）様々な場面で適用できるように作られている。
【００５５】
図３Ａは、様々な色によって視覚化されている、既に説明した選択肢を示している。
【００５６】
図３Ｂは、異なるエリアによって視覚化されている選択肢を示している。
【００５７】
図３Ｃは、大型の「デフォルト」選択エリアを使用した、異なるエリアによって視覚化されている選択肢を示している。
【００５８】
図３Ｄは、選択可能な選択肢に対応するエリアのサイズ及び位置が、予想される用途または確率に応じて選ばれるウィジェットを示している。当業者は、このことが過去の選択に関するある種の情報を必要とし、次に、過去の選択に関する情報に基づいて、次の選択に関する確率が得られ、次に、たとえば、エリアのサイズは、最大の確率をもつ選択に対応するエリアが最大であり、他のエリアのサイズが、それぞれの選択の可能性に応じてより小さなものであることを理解されたい。
【００５９】
ウィジェットのさらなる実施形態を図４Ａ〜図４Ｄに示している。
【００６０】
図４Ａは、一般的な２つの選択肢からの選択を示している。
【００６１】
図４Ｂは、一般的な３つの選択肢からの選択を示している。
【００６２】
図４Ｃは、デフォルトの選択肢を１つ含んだ３つの一般的な選択肢からの選択を示している。
【００６３】
図４Ｄは、具体的なアイコンを用いた３つの特定の選択肢からの選択を示している。
【００６４】
図５Ａ〜図５Ｄは、選ばれる選択肢の視覚化が様々なやり方で行われる実施形態を示している。図示しているように、現在選択されている項目は、矢印、ボール、あるいは、影付きのセクションによって示すことができる。別のやり方は、矢印を回転させて、選択された項目を一番上に置くことである。
【００６５】
図５Ａは、矢印が選択された選択肢を示す実施形態を示している。
【００６６】
図５Ｂは、円弧が回転し、（灰色で示している）選択記号が固定した実施形態を示している。
【００６７】
図５Ｃは、「グリッドをスナップする機能（snap to grid）」の有無にかかわらず、選択が、選択肢の間を移動するボールにより示される実施形態を示している。
【００６８】
図５Ｄは、「グリッドをスナップする機能（snap to grid）」を用いて、選択が、現在選択されているエリアを強調表示することによって示される実施形態を示している。
【００６９】
上述の実施形態によれば、ユーザへ提示できる選択肢の数は依然として制限される。図６及び図７は、円弧の数を増加させることにより（図６）、または、より多くの項目を保持できるように円弧を視覚的に延長することにより（図７）、選択肢の数を増加させた実施形態を示している。
【００７０】
図６に示したように、それぞれが選択肢を示した２つの円弧が設けられている。第１の軸方向に携帯電話機を回転させることにより、ユーザは円弧の内部にある選択肢を選ぶことができ、第２の軸方向に携帯電話機を回転させることにより、ユーザは２つまたはそれ以上の円弧のうちの１つを選択することができる。
【００７１】
図７は、表示することができる選択肢の数を増加させた別の実施形態を示している。この円弧は、無制限の数の項目を収容することができる。矢印が一方の端にある場合、円弧は、より多くの選択可能な選択肢を表示するために回転する。速度制御を使用することにより（すなわち、左へ傾斜させると、その傾斜をやめるまで、時計回りに回転する）、無制限の数の選択肢を表示できる。現在の選択の確認は、（上述の実施形態と同様に）その後に再び、（たとえば、ジェスチャ検出モジュール、加速度計によって検出することができるように、）別の軸方向に携帯電話機を回転させることにより、または、携帯電話機を素早く振ることにより、または、キーボードのキーを押下することにより行われる。
【００７２】
当業者は、上述の実施形態と共に記載されているような機能が可能となるように、既存のＮＦＣタグを備えたスクリーン、ホスト上で動く対応するアプリケーション、および、スクリーンとインタラクションをする携帯機器を適切にプログラミングすることにより本発明の形態を実施できることを理解されたい。したがって、本発明の実施形態は、ハードウェアによって、適切にプログラムされたソフトウェアによって、または、両者の組み合わせによって実施できる。一実施形態によれば、アプリケーションサービスが動き、本発明の実施形態に基づくユーザインターフェイスを可能とするサーバが提供される。さらなる実施形態によれば、上述の実施形態と共に記載されているような動作を実行する携帯電話機が提供される。さらなる実施形態によれば、ＮＦＣタグを備えたスクリーンと、携帯機器と、アプリケーションサービスが動いているサーバコンピュータとを備えたシステムが提供される。
【図１Ａ】
2011129127.tif 000003
【図１Ｂ】
2011129127.tif 000004
【図２】
2011129127.tif 000005
【図３】
2011129127.tif 000006
【図４】
2011129127.tif 000007
【図５】
2011129127.tif 000008
【図６】
2011129127.tif 000009
【図７】
2011129127.tif 000010
【外国語明細書】
2011129127.tif 000011
2011129127.tif 000012
2011129127.tif 000013
2011129127.tif 000014
2011129127.tif 000015
2011129127.tif 000016
2011129127.tif 000017
2011129127.tif 000018
2011129127.tif 000019
2011129127.tif 000020
2011129127.tif 000021
2011129127.tif 000022
2011129127.tif 000023
2011129127.tif 000024
2011129127.tif 000025
2011129127.tif 000026
2011129127.tif 000027
2011129127.tif 000028
2011129127.tif 000029
2011129127.tif 000030
2011129127.tif 000031
2011129127.tif 000032
2011129127.tif 000033
2011129127.tif 000034